(57)【要約】【課題】  どの取引において違算（過不足）が発生したかを特定することである。【解決手段】  貨幣入出金装置８の現金在高金額の増減額と、この貨幣入出金装置８に接続された商品販売登録データ処理装置７の現金在高金額の増減額とを、取引毎に比較し、この比較結果を取引毎に順次記憶させるようにした。【選択図】    図３
2007041667.tif 000002
【特許請求の範囲】
【請求項１】
貨幣入出金装置の現金在高金額の増減額と、この貨幣入出金装置に接続された商品販売登録データ処理装置の現金在高金額の増減額とを、取引毎に比較し、この比較結果を取引毎に順次記憶させるようにしたことを特徴とする現金過不足管理方法。
【請求項２】
貨幣入出金装置の現金在高金額の増減額と商品販売登録データ処理装置の現金在高金額の増減額との取引毎の比較結果は、前記商品販売登録データ処理装置が接続されたデータ処理装置に記憶されることを特徴とする請求項１記載の現金過不足管理方法。
【請求項３】
出金用の貨幣を金種別に収納して所定の金種・枚数で構成される金額の貨幣を出金し、入金される貨幣の金種別の枚数と出金される貨幣の金種別の枚数とを記憶する貨幣入出金装置と、
商品登録及び会計処理を行い、出金処理の際には、出金金額を算出して前記貨幣入出金装置に出金指令を送信し、前記貨幣入出金装置に出金指令を送信した際には、前記貨幣入出金装置の応答から種類別の枚数データより現在残高金額を算出するか、もしくは、貨幣の合計金額データから現在残高金額を取得する商品販売登録データ処理装置と、
よりなることを特徴とする現金過不足管理装置。
【発明の詳細な説明】
【技術分野】
【０００１】
本発明は、貨幣入出金装置（自動釣銭機）に接続された商品販売登録データ処理装置（ＰＯＳターミナル）における現金過不足管理方法及びその装置に関するものである。
【背景技術】
【０００２】
従来、データ処理装置（ストアコントローラ）に複数台の商品販売登録データ処理装置（ＰＯＳターミナル）を接続し、これらの商品販売登録データ処理装置に貨幣入出金装置（自動釣銭機）をそれぞれ接続して商品の売上情報の管理とともに現金の管理を行うようにしている。
【０００３】
まず、図１(ａ)(ｂ)(ｃ)に商品販売登録データ処理装置（ＰＯＳターミナル）１に貨幣入出金装置（自動釣銭機）２を接続した一例を示す。これらの図１(ａ)(ｂ)(ｃ)に示すものは、預かり金入力運用に係わるものであり、図１(ａ)は、預かり金の金額を確認してその金額を商品販売登録データ処理装置１の金額キー３により入力している状態を示す。また、図１(ｂ)は、商品販売登録データ処理装置１の預／現計キー４を押すことにより貨幣入出金装置２から釣銭が出金されている状態を示している。つぎに、図１(ｃ)は、預かり金を貨幣入出金装置２に投入している状態を示す。したがって、預かり金を商品販売登録データ処理装置１に入力した後に、直ちに客に対してはお釣りを返却するので、図１(ｃ)に示すように、預かり金を貨幣入出金装置２に入金中であっても次の取引業務が可能であるという特徴を有する。
【０００４】
つぎに、図２(ａ)(ｂ)(ｃ)(ｄ)に預かり金の計数運用の一例を示す。図２(ａ)は、預かり金を確認し、入金確認キー５を押して入金を開始する状態、すなわち、入金開始宣言をしている状態である。図２(ｂ)は、前述の図１(ｃ)と同様に、預かり金を貨幣入出金装置２に投入している状態を示す。図２(ｃ)は、入金確認キー６を押して入金金額を確認している状態、すなわち、入金終了宣言をしている状態を示す。そして、図２(ｄ)は、図１(ｂ)と同様に、商品販売登録データ処理装置１の預／現計キー４を押すことにより貨幣入出金装置２から釣銭が出金されている状態を示している。したがって、預かり金額を釣銭機としての貨幣入出金装置２が数えるため、預かり金の数え間違いや、商品販売登録データ処理装置１への入力間違えがなくなり、理論的には、違算（現金過不足）がゼロになる。また、預かり金を貨幣入出金装置２に投入しない限り、お釣りを出金することができないので、預かり金の不正入力による着服などの不正行為を防止することができる。
【０００５】
つぎに、ＰＯＳシステムにおいて、現金在高を随時把握し、効率的な金銭管理を実現するようにした技術が特許文献１に記載されている。すなわち、従来は、店員の交代時あるいは閉店時に、各ＰＯＳ端末のドロア内に本来あるべき現金額と実際にドロア内にある現金額とを対比し、その額の過不足を調べることにより、過不足が生じた原因などを追求するようにしていたものであるが、キャッシャの負担を減らし、かつ、キャッシャのミスを減らす目的で、ＰＯＳ端末装置は、顧客から預る現金を入金するとともに、顧客に返金する釣銭を出金し、かつ、入出金された現金を金種別に計数可能な釣銭・釣札機に接続されるとともに、顧客から預る金券類を収納するためのドロアを有し、計数機能により特定された釣銭・釣札機内の金種別在高情報を受信し、受信した在高情報と、ドロア内の金券在高情報とを上位装置に送信する技術が開示されている。
【０００６】
【特許文献１】特開２００２−９２７３４号公報
【発明の開示】
【発明が解決しようとする課題】
【０００７】
図１(ａ)(ｂ)(ｃ)に示す状態においては、預かり金額を間違えて入力すると、お釣りを間違えて出金してしまい、違算（過不足）が発生しやすいという問題がある。また、預かり金額と入金金額との比較はしていないので、預かり金の不正入力や、預かり金の着服などの不正が可能なものである。さらに、精算時に初めて違算（過不足）が分かるので、発生した時間や人を特定することが困難であるという問題もある。
【０００８】
つぎに、図２(ａ)(ｂ)(ｃ)(ｄ)に示す状態においては、預かり金額を機械（硬貨・紙幣釣銭機）が数えるため、ＰＯＳへ手入力する場合よりも客にお釣りを返却するまでの時間が長くなる。また、従来の運用と操作（預かり金を釣銭機に投入するタイミング）が全く異なるという問題もある。
【０００９】
さらに、特許文献１に記載された技術においては、入力に基く残高情報とドロワ内の実際の残高情報とを上位機種に送信することにより、現金在高を随時把握し、効率的な金銭管理を実現するようにした技術が開示されているものであるが、違算（過不足）が発生した取引を特定することが難しく、そのため、その時のキャッシャを特定することも難しいものである。
【課題を解決するための手段】
【００１０】
本発明は、貨幣入出金装置の現金在高金額の増減額と、この貨幣入出金装置に接続された商品販売登録データ処理装置の現金在高金額の増減額とを、取引毎に比較し、この比較結果を取引毎に順次記憶させるようにした現金過不足管理方法であり、また、出金用の貨幣を金種別に収納して所定の金種・枚数で構成される金額の貨幣を出金し、入金される貨幣の金種別の枚数と出金される貨幣の金種別の枚数とを記憶する貨幣入出金装置と、商品登録及び会計処理を行い、出金処理の際には、出金金額を算出して前記貨幣入出金装置に出金指令を送信し、前記貨幣入出金装置に出金指令を送信した際には、前記貨幣入出金装置の応答から種類別の枚数データより現在残高金額を算出するか、もしくは、貨幣の合計金額データから現在残高金額を取得する商品販売登録データ処理装置と、よりなる現金過不足管理装置である。
【発明の効果】
【００１１】
したがって、貨幣入出金装置の現金在高金額の増減額と、商品販売登録データ処理装置の現金在高金額の増減額とは、取引毎に比較されるため、どの取引において違算（過不足）が発生したかを特定することができ、これにより、違算（過不足）が発生した時間や担当者（キャッシャ）を特定することが可能となり、不正行為を抑止することができるものである。
【発明を実施するための最良の形態】
【００１２】
本発明の実施の態様を図３乃至図１４に基いて説明する。まず、図３に示すものは、システムの全体を示すもので、中央に設けられたデータ処理装置（ストアコントローラ）６に複数台の商品販売登録データ処理装置（ＰＯＳターミナル）７が接続され、これらの商品販売登録データ処理装置７には、貨幣入出金装置（自動釣銭機）８が接続されている。さらに、前記商品販売登録データ処理装置７には、印字装置９が接続されている。
【００１３】
この商品販売登録データ処理装置７は、図４(ａ)(ｂ)(ｃ)に示すように、本体ハウジング１０の底部にドロワ１１が一体に形成されており、その上面にはキーボード１２やモードキー１３及び大型のディスプレイ１４などが一体に設けられている。そして、前記商品販売登録データ処理装置７は、回路的には図５に例示するように、各種の情報処理を実行するＣＰＵ１５(Ｃentral Ｐrocessing Ｕnit)に、各種情報を固定的に予め記憶したＲＯＭ１６(Ｒead  Ｏnly  Ｍemory)、各種情報を可変自在に一時記憶するＲＡＭ１７(Ｒandom  Ａccess  Ｍemory)、前記印字装置９、前記ドロワ１１、前記データ処理装置（ストアコントローラ）６と接続される通信インタフェース１８、各種情報を入力する前記キーボード１２、動作モードを切り替え自在に設定する前記モードキー１３、各種情報をカナ、漢字、数字、英文字等により表示する前記ディスプレイ１４などを、各種情報を伝送するバス１９で接続した構造となっている。
【００１４】
このような構成において、図４(ａ)(ｂ)(ｃ)に預かり金入力運用の状態が示されている。すなわち、図４(ａ)に示すものは、預かり金確認・金額入力のステップであり、預かり金額を確認し、その金額を金額キー２０により商品販売登録データ処理装置７に入力している状態である。このとき、入金のみならず出金に関しても同様に金額キー２０により入力されるものであり、商品販売登録データ処理装置７における増減金額が求められる。つぎに、図４(ｂ)に示すものは、釣り出金のステップであり、商品販売登録データ処理装置７の預／現計キー２１を押すと、貨幣入出金装置８から釣り銭が出金される。ついで、図４(ｃ)に示すものは、預かり金入金のステップであり、預かり金を貨幣入出金装置８に投入している状態である。このステップでは、貨幣入出金装置８における釣り銭の出金、及び預かり金の入金が算出される。そこで、重要な点は、一取引が終了したときに、一取引毎に貨幣入出金装置８の現金在高金額の増減額と、この貨幣入出金装置８に接続された商品販売登録データ処理装置７の現金在高金額の増減額とが比較され、一致しているか、不一致であるかのチェックがなされることである。一致している場合には、過不足のない正常な取引が登録されたことになり、不一致であれば何らかの異常が発生していることになる。このような取引の結果は、一取引き毎に過不足が管理され、記録されるので、その過不足が発生した時間や人を特定することが可能であり、不正行為を抑制することができる。
【００１５】
つぎに、図６乃至図１１に基いて具体的な取引例を説明する。図６乃至図７は、過不足がない正常な場合であり、Ｎｏ．０００１乃至Ｎｏ．００１３に各ステップの状態が示されている。まず、Ｎｏ．０００１は、サインオンの状態であり、貨幣入出金装置８の在高金額は\０であり、商品販売登録データ処理装置７の増減金額も\０である。そして、貨幣入出金装置８からの出金金額も\０である。
【００１６】
ここで、Ｎｏ．０００２のステップにおいて、釣り銭の準備がなされる。この釣り銭額を\１００，０００とすると、商品販売登録データ処理装置７において\１００，０００の入金処理がなされる。このとき、一つ前のステップＮｏ．０００１の一取引が終了したとして、貨幣入出金装置８の増減金額\０と商品販売登録データ処理装置７の増減金額\０とが比較され、一致していることの確認がとられている。
【００１７】
以下、同様であるが、本実施の態様における特徴点は、図面中の右上がり左下がりの矢印で示すように、Ｎｏ．０００１の商品販売登録データ処理装置増減金額とＮｏ．０００２の貨幣入出金装置増減金額とを取引毎に比較している点であり、以下の各ステップにおいても取引毎に貨幣入出金装置８の増減金額\０と商品販売登録データ処理装置７の増減金額\０とが比較されていることが従来とは相違しているところである。
【００１８】
つぎに、Ｎｏ．０００３のステップにおいて、商品販売登録データ処理装置７で入金処理された釣り銭準備のための\１００，０００は、貨幣入出金装置８に入金されて貨幣入出金装置８の入金金額が\１００，０００となっている。したがって、貨幣入出金装置８の入金金額も\１００，０００であり、在高金額も\１００，０００である。そして、このＮｏ．０００３のステップにおいて、\１，０００の売上があったものとすると、商品販売登録データ処理装置７では、\１，０００の入金を登録し、その増減金額が\１，０００となる。このとき、一つ前のステップＮｏ．０００２の一取引が終了したとして、貨幣入出金装置８の増減金額\１００，０００と商品販売登録データ処理装置７の増減金額\１００，０００とが比較され、これらが一致していることの確認がとられている。
【００１９】
Ｎｏ．０００４のステップにおいて、\５００の売上があったものとし、その売上\５００は、\５，０００札で支払われ、\４，５００のお釣りが出金されたものとする。このとき、Ｎｏ．０００３のステップにおいて商品販売登録データ処理装置７で入金処理された\１，０００は、貨幣入出金装置８に入金されて貨幣入出金装置８の入金金額が\１，０００となっている。したがって、貨幣入出金装置８の在高金額は\１０１，０００であり、貨幣入出金装置８の増減金額は\１，０００である。このとき、一つ前のステップＮｏ．０００３の一取引が終了したとして、貨幣入出金装置８の増減金額\１，０００と商品販売登録データ処理装置７の増減金額\１，０００とが比較され、これらが一致していることの確認がとられている。そして、商品販売登録データ処理装置７には、\５００の入金処理がなされ、かつ、貨幣入出金装置８からは\４，５００の釣り銭が出金されている。
【００２０】
Ｎｏ．０００５のステップにおいて、Ｎｏ．０００４のステップで用いられた\５，０００は、貨幣入出金装置８に入金され、この貨幣入出金装置８の在高金額は、「\１０１，０００−\４，５００＋\５，０００」の計算の結果、\１０１，５００となっている。そして、貨幣入出金装置８の増減金額は、\５００であり、Ｎｏ．０００４のステップで商品販売登録データ処理装置７に入金された\５００と比較され、これらが一致していることの確認がとられている。
【００２１】
Ｎｏ．０００６のステップにおいては、\５００の売上があり、額面\１，０００の商品券で支払われたものとする。そのため、貨幣入出金装置８では、\５００のお釣りが現金で支払われ、貨幣入出金装置８の残高金額としては、\１０１，５００から\５００が減算されて\１０１，０００となる。そのため、貨幣入出金装置８の増減金額は、−\５００である。また、商品販売登録データ処理装置７においては、現金が\５００分出金となるので、−\５００の増減金額があったことになり、貨幣入出金装置８の増減金額−\５００と比較され、これらが一致していることの確認がとられている。
【００２２】
Ｎｏ．０００７のステップにおいては、\１，０００の売上があり、額面\５００の商品券と、現金\１，０００とにより支払われ、釣り銭\５００が出金されたものである。そのため、商品販売登録データ処理装置７には、現金\５００が入金されたことになり、貨幣入出金装置８の在高金額は、\１０１，０００から\１０１，５００になり、貨幣入出金装置８への入金金額は\１，０００であるため、貨幣入出金装置８の増減金額は、\５００となり、商品販売登録データ処理装置７への入金金額\５００と比較され、これらが一致していることの確認がとられている。
【００２３】
Ｎｏ．０００８のステップにおいては、\１０，０００の売上があったものとする。この\１０，０００は、商品販売登録データ処理装置７に入力される。そして、貨幣入出金装置８に\１０，０００が入金され、貨幣入出金装置８の在高金額は、\１１１，５００となり、貨幣入出金装置８の入金金額は、\１０，０００となる。そのため、商品販売登録データ処理装置７の入金金額\１０，０００と比較され、これらが一致していることの確認がとられている。
【００２４】
つぎに、Ｎｏ．０００９のステップにおいては、なんらかの理由により、現金\５，０００の支払いがあった。この現金\５，０００は、貨幣入出金装置８から支払われ、商品販売登録データ処理装置７においては、−\５，０００の入金処理が行われる。貨幣入出金装置８の在高金額は、\１０６，５００となり、貨幣入出金装置８の入金金額は、−\５，０００となる。これが商品販売登録データ処理装置７の入金金額−\５，０００と比較され、これらが一致していることの確認がとられている。
【００２５】
Ｎｏ．００１０のステップにおいては、\１，０００の両替がなされた状態である。すなわち、貨幣入出金装置８には、\１，０００の入金がなされ、かつ、\１，０００の出金がなされている。また、商品販売登録データ処理装置７においては、\１，０００の入金と\１，０００の出金とがなされたことになり、結局は、入金金額は\０である。貨幣入出金装置８の在高金額が\１０６，５００である状態に変化はない。
【００２６】
Ｎｏ．００１１のステップにおいては、現金\５０，０００を回収した場合である。これは非連動として動作するものであり、貨幣入出金装置８から現金\５０，０００が出金される。そして、商品販売登録データ処理装置７においては、−\５０，０００の入金処理が行われる。
【００２７】
Ｎｏ．００１２のステップは、点検業務であり、Ｎｏ．００１１のステップで\５０，０００が回収された結果、貨幣入出金装置８の在高金額は、\５６，５００となっており、貨幣入出金装置８の入金金額は、−\５０，０００であるので、商品販売登録データ処理装置７における入金金額−\５０，０００と比較され、これらが一致していることの確認がとられている。
【００２８】
つぎに、Ｎｏ．００１３のステップは、サインオフであり、貨幣入出金装置８の在高金額が\５６，５００であり、貨幣入出金装置８の入金金額\０と商品販売登録データ処理装置７の入金金額\０とが比較され、これらが一致していることの確認がとられている。
【００２９】
つぎに、図８乃至図１１に示すものは、Ｎｏ.０００１乃至Ｎｏ．００１８のステップにおいて現金の過不足が発生した状態が存在する現金過不足管理状態の一例である。まず、Ｎｏ．０００１においてサインオンし、Ｎｏ．０００２のステップにおいて、\１００，０００の釣り銭準備をした状態である。このとき、商品販売登録データ処理装置７には、\１００，０００の入金がなされる。しかしながら、貨幣入出金装置８には、\９０，０００の釣り銭入力をしただけで、\１０，０００不足していたものである。この場合には、貨幣入出金装置８には、\９０，０００の釣り銭が入金され、貨幣入出金装置８の増減金額として\９０，０００が登録される。この貨幣入出金装置８の増減金額\９０，０００が商品販売登録データ処理装置７に入金された\１００，０００と比較され、−\１０，０００の過不足が発生する。
【００３０】
このようにして、過不足が発生すると、図１２に示すように、「過不足が発生しました」というメッセージの他に、「レジＮｏ．」、「キャッシャＮｏ．」、「取引Ｎｏ．」、「過不足金額」等が表示される。また、図１３に示すように、過不足管理レポートも表示され、かつ、図１４に示すように、印字装置９により過不足管理レポートが発行される。
【００３１】
Ｎｏ．０００３のステップにおいては、\１，０００の売上があった場合である。商品販売登録データ処理装置７には、\１，０００の売上が入力されて商品販売登録データ処理装置７の増減金額とされ、貨幣入出金装置８には、\１，０００が入金され、残高金額として\９０，０００に、\１，０００が加算されて\９１，０００とされる。そして、貨幣入出金装置８の増減金額としては\１，０００となり、これが商品販売登録データ処理装置７の増減金額\１，０００と比較され、両者が一致することにより正常であると判定される。
【００３２】
Ｎｏ．０００４のステップにおいては、\５００の売上があり、\５，０００を預かり、\４，５００をお釣りとした場合である。しかしながら、錯誤により、預かり金額\５，０００を\５００として入力してしまった場合である。そのため、商品販売登録データ処理装置７には、\５００と入金されているが、貨幣入出金装置８には、\５，０００入金しなければならないところ、\５００しか入金せず、\４，５００をお釣りとして出金したものである。そのため、貨幣入出金装置８の在高金額は、「\９１，０００−\４，５００＋\５００＝\８７，０００」となり、増減金額が−\４，０００となる。そのため、この−\４，０００と商品販売登録データ処理装置７への入金額\５００とに−\４，５００の差異が発生し、過不足発生となる。
【００３３】
Ｎｏ．０００５のステップにおいては、\１，０００の売上があった場合であり、この場合には正常である。
【００３４】
Ｎｏ．０００６のステップにおいては、\５００の売上があり、額面\１，０００の商品券で支払い、お釣りが\５００の場合である。しかしながら、額面\１，０００の商品券を現金\１，０００として扱ってしまった場合である。この場合、商品販売登録データ処理装置７に入力される−\５００に対して、貨幣入出金装置８の増減金額が\５００であり、両者を比較すると、\１，０００の差異が発生するので、過不足発生となる。
【００３５】
Ｎｏ．０００７のステップにおいては、\１，０００の売上があり、額面\５００の商品券と現金\１，０００とで支払い、お釣りが\５００の場合である。この場合には正常である。
【００３６】
Ｎｏ．０００８のステップにおいては、\５００の売上に対して、現金\５，０００を預かり、釣り銭が\４，５００の場合である。しかるに、貨幣入出金装置８への入金をしなかったため、貨幣入出金装置８への入金金額が−\４，５００となり、商品販売登録データ処理装置７への入金金額\５００と比較すると、−\５，０００の差異があり、過不足発生となったものである。
【００３７】
Ｎｏ．０００９のステップにおいては、レジマイナスとして出金されたお釣りを入金（返却）した場合であり、この場合にも、貨幣入出金装置８への入金金額と商品販売登録データ処理装置７への入金金額とが不一致であり、過不足発生となる。
【００３８】
Ｎｏ．００１０のステップにおいては、\５００の売上に対して、\５，０００の預かり金があり、お釣りが\４，５００の場合であるが、預かり金\５，０００の貨幣入出金装置８への入金を忘れた場合である。この場合には、当然、\５，０００の過不足が発生する。
【００３９】
Ｎｏ．００１１のステップにおいては、\１，０００の売上があり、現金\１，０００を預かったが、前回のＮｏ．００１０のステップにおける預かり金\５，０００の貨幣入出金装置８への入金を合わせて入金した場合である。この場合には、Ｎｏ．００１０のステップの過不足を相殺した形になる。
【００４０】
Ｎｏ．００１２のステップにおいては、\１，５００の売上があり、現金\２，０００を預かり、お釣り\５００の場合であるが、このステップにおいて、入金\１０，０００がリジェクトして入金操作をせず入金したものである。この場合は、過不足が発生する。
【００４１】
Ｎｏ．００１３のステップにおいては、\５００の売上があり、現金\１，０００を預かり、お釣り\５００の場合であるが、正常である。
【００４２】
Ｎｏ．００１４のステップにおいては、\１，０００の両替業務であるが、両替操作で入金しなかったものであり、この場合には、過不足が発生する。
【００４３】
Ｎｏ．００１５のステップにおいては、\５００の売上があり、現金\１，０００を預かり、お釣り\５００の場合であるが、貨幣入出金装置８において硬貨\５００が詰まって出金できなかった場合である。この場合には、過不足が発生する。
【００４４】
Ｎｏ．００１６のステップにおいては、\５００の売上があり、現金\１，０００を預かり、お釣り\５００の場合であるが、正常である。
【００４５】
Ｎｏ．００１７のステップにおいては、点検であり、\５０，０００を回収操作せずに回収したものである。
【００４６】
Ｎｏ．００１８のステップは、サインオフであり、一連の操作において、−\５０，０００の過不足が発生したことを示している。
【００４７】
このように一連の操作において、一取引毎に過不足が発生した状態が図１２に示すように表示され、かつ、すべてを纏めたものとしては、図１３に示すように、各取引毎に分けて一覧表示がなされ、かつ、図１４に示すように印刷される。
【００４８】
本発明は、貨幣入出金装置の現金在高金額の増減額と、この貨幣入出金装置に接続された商品販売登録データ処理装置の現金在高金額の増減額とを、取引毎に比較し、この比較結果を取引毎に順次記憶させるようにした現金過不足管理方法において、貨幣入出金装置の現金在高金額の増減額と商品販売登録データ処理装置の現金在高金額の増減額との取引毎の比較結果は、前記商品販売登録データ処理装置が接続されたデータ処理装置に記憶されるので、その集計結果が一覧として把握しやすいものである。また、出金用の貨幣を金種別に収納して所定の金種・枚数で構成される金額の貨幣を出金し、入金される貨幣の金種別の枚数と出金される貨幣の金種別の枚数とを記憶する貨幣入出金装置と、商品登録及び会計処理を行い、出金処理の際には、出金金額を算出して前記貨幣入出金装置に出金指令を送信し、前記貨幣入出金装置に出金指令を送信した際には、前記貨幣入出金装置の応答から種類別の枚数データより現在残高金額を算出するか、もしくは、貨幣の合計金額データから現在残高金額を取得する商品販売登録データ処理装置と、よりなる現金過不足管理装置であり、それぞれ貨幣入出金装置が接続された複数台の商品販売登録データ処理装置をデータ処理装置に接続してシステム化した点においても特徴がある。
【図面の簡単な説明】
【００４９】
【図１】従来の預かり金入力運用を示す説明図である。
【図２】従来の預かり金計数運用を示す説明図である。
【図３】本発明の実施の態様を示すブロック図である。
【図４】その預かり金入力運用を示す説明図である。
【図５】商品販売登録データ処理装置のブロック図である。
【図６】現金過不足管理における過不足がない場合の各種の例を示す説明図である。
【図７】図６に継続した説明図である。
【図８】現金過不足管理における過不足が発生する場合の各種の例を示す説明図である。
【図９】図８に継続した説明図である。
【図１０】図９に継続した説明図である。
【図１１】図１０に継続した説明図である。
【図１２】過不足発生を示す表示例である。
【図１３】過不足管理レポートの表示例である。
【図１４】過不足管理レポートの印刷例である。
【符号の説明】
【００５０】
７  商品販売登録データ処理装置
８  貨幣入出金装置
【図１】
2007041667.tif 000003
【図２】
2007041667.tif 000004
【図３】
2007041667.tif 000005
【図４】
2007041667.tif 000006
【図５】
2007041667.tif 000007
【図６】
2007041667.tif 000008
【図７】
2007041667.tif 000009
【図８】
2007041667.tif 000010
【図９】
2007041667.tif 000011
【図１０】
2007041667.tif 000012
【図１１】
2007041667.tif 000013
【図１２】
2007041667.tif 000014
【図１３】
2007041667.tif 000015
【図１４】
2007041667.tif 000016